(57)【要約】      （修正有）【課題】客観性、再現性が高く、かつ簡便なねっとり感の評価方法を提供する。【解決手段】飲食品のねっとり感を評価する方法であって、飲食品の試料を口腔内に入れた後の食塊形成過程における舌の上下運動１サイクルに要する時間の平均値を測定する工程と飲食品のかたさを測定する工程を含む方法。【選択図】なし【特許請求の範囲】
【請求項１】
飲食品のねっとり感を評価する方法であって、
飲食品の試料を口腔内に入れた後の食塊形成過程における舌の上下運動１サイクルに要する時間の平均値（Ｔ値）を測定する工程と飲食品のかたさの値（Ｈ値）を測定する工程を含む方法。
【請求項２】
前記食塊形成過程における舌の上下運動１サイクルに要する時間の平均値（Ｔ値）を飲食品のかたさの値（Ｈ値）によって除した値（Ｓ値）を決定する工程、及び
当該飲食品のＳ値がより高い場合に、当該飲食品のねっとり感がより大きいとする工程を含む請求項１に記載の方法。
【請求項３】
前記飲食品のかたさの値（Ｈ値）が、飲食品を圧縮板で圧縮して５０％まで歪ませたときの圧縮板にかかる荷重値を経時的に測定したときの荷重値の最大値（Ｈｐ値）である請求項２に記載の方法。
【請求項４】
前記舌の上下運動が、舌の上下運動に起因して口蓋に付加される圧力の変化の測定によって検出される請求項１〜３のいずれか１項に記載の方法。
【請求項５】
前記口蓋に付加される圧力の変化が口蓋上に配置された圧力センサーを用いて測定される請求項４に記載の方法。
【請求項６】
前記飲食品が、当該飲食品を圧縮板で圧縮して５０％まで歪ませたときの圧縮板にかかる荷重値を経時的に測定したときの荷重値の最大値（Ｈｐ値）が０．０１〜１．０Ｎである請求項１〜５のいずれか１項に記載の方法。
【請求項７】
前記飲食品が、食品である請求項１〜６のいずれか１項に記載の方法。
【請求項８】
前記食品が、プリン、ゼリー、ヨーグルト、又はごま豆腐である請求項７に記載の方法。
【請求項９】
請求項２に記載の方法で評価された食品であって、測定されたＳ値が低いことに基づき、ねっとり感が低いと評価された食品。
【請求項１０】
Ｓ値が４．０Ｎ−１以下である請求項９に記載の食品。
【発明の詳細な説明】
【技術分野】
【０００１】
本発明は、飲食品のねっとり感の評価方法に関する。
【背景技術】
【０００２】
用語「ねっとり」は、日常的にも、飲食品の食感の評価に使用される用語の一つであり、食品の美味しさを構成する要素として、「ねっとり感」は非常に重要な食感である。
例えば、特許文献１では、ねっとり感を好ましい食感として捉え、ねっとり感がないか或いは不足している魚卵の卵液にねっとり感を付与し或いは増大させる技術が開示されている。
一方、特許文献２では、ねっとり感を好ましくない食感として捉え、ねっとり感の少ない鳥獣肉を提供する肉質改良方法が開示されている。
用語「ねっとり」とは、広辞苑第６版（発行所  岩波書店）によれば「粘りけのあるさま。くっつくさま。」、また大辞林第二版（発行所  三省堂）によれば、「ものの粘りが強いさま。」であり、従って、一般に粘度及び付着性と関係する性質として把握されていると言える。
このため、機器によって測定された食品の粘度又は付着性の値に基づいて「ねっとり感」を評価する試みがなされているが、ヒトの官能評価の結果と一致しない場合が多い。これは、ヒトが「ねっとり感」を感じる喫食時の状況を再現できていないこと、及び「ねっとり感」が、粘度及び／または付着性のみによって定まるものではなく、様々な因子（例、脂肪含量等に関係すると予測される口腔内粘膜及び／又は舌との親和性、食品の密度など）を総合した食感であることに起因しているものと推測される。
【０００３】
従って、実際には、「ねっとり感」の評価においては、ヒトの感覚（視覚、聴覚、味覚、嗅覚、触覚）を使って対象物を評価する方法である官能評価が採用されている。
官能評価は、ヒト（パネリスト）の感覚に基づいて、試料の官能的な特徴や物性の定量、相違や同一性などを明らかにする分析型官能評価と、試料に対する好みや許容度を判定するのに使われ、嗜好調査やイメージ調査として製品開発・市場調査などに用いられる嗜好型官能評価に大別される。
「ねっとり感」は試料の官能的な特徴であるので、これを官能評価によって評価する場合は、分析型官能評価によって行われる。
分析型官能評価は専門家又は訓練したパネルで行われる。また、評価の実施に際しては、再現性のある信憑性の高い官能評価を行うために、下記のこと等に留意する必要がある。
（１）官能評価の実施目的を明確にする。
（２）官能評価の実施目的にあったパネリストを選択する。
（３）実施目的にあった官能評価手法を選択する。
（４）パネリストが適切な評価を行えるような環境を整える。
（５）統計的解析手法を適用する。
しかし、官能評価においては、少人数であれば訓練により評価基準を統一させることが可能であっても、このことは多人数では難しい。また、官能評価には、訓練されたパネリストの養成にコストや時間がかかる、煩雑な統計処理などの手間がかかる、一回あたりに評価できる試料数が限られるといった問題がある。したがって、食品開発の現場では高頻度で実施することが難しく、開発の律速となる場合もある。
加えて、「ねっとり感」の評価は、他の味や食感の評価よりも困難である。すなわち、甘さのように、万人が共通認識を有している味覚や、食品の「かたさ」のように、その物性の測定方法が確立している食感とは異なり、「ねっとり感」は様々な因子を総合した食感であるので、既存の測定手法では評価が困難であった。
これらの課題を解決するために、客観的で再現性が高く、かつ簡便に「ねっとり感」を定量化できる方法が求められていた。
【先行技術文献】
【特許文献】
【０００４】
【特許文献１】特開平６−１８１７２０号公報
【特許文献２】特開平７−２３７４０号公報
【発明の概要】
【発明が解決しようとする課題】
【０００５】
従って、本発明は、客観性、再現性が高く、かつ簡便な「ねっとり感」の評価方法を提供すること、また本評価法を用いて様々な喫食者にとって最適な「ねっとり感」をもった飲食品を提供することを目的とする。
【課題を解決するための手段】
【０００６】
本発明者らは、飲食品の試料を口腔内に入れた後の食塊形成過程において、舌の上下運動１サイクルに要する時間の平均値を飲食品のかたさで除した値と、官能評価における「ねっとり感」とが相関することを見出し、更なる研究の結果、本発明を完成するに至った。
【０００７】
すなわち、本発明は、下記の態様を含む。
【０００８】
項１．
飲食品のねっとり感を評価する方法であって、
飲食品の試料を口腔内に入れた後の食塊形成過程における舌の上下運動１サイクルに要する時間の平均値（Ｔ値）を測定する工程と飲食品のかたさの値（Ｈ値）を測定する工程を含む方法。
項２．
前記食塊形成過程における舌の上下運動１サイクルに要する時間の平均値（Ｔ値）を飲食品のかたさの値（Ｈ値）によって除した値（Ｓ値）を決定する工程、及び
当該飲食品のＳ値が高い場合は当該飲食品のねっとり感が高いと評価し、及び当該飲食品のＳ値が低い場合は当該飲食品のねっとり感が低いと評価する工程を含む項１に記載の方法。
項３．
前記飲食品のかたさの値（Ｈ値）が、飲食品を圧縮板で圧縮して５０％まで歪ませたときの圧縮板にかかる荷重値を経時的に測定したときの荷重値の最大値（Ｈｐ値）である項２に記載の方法。
項４．
前記舌の上下運動が、舌の上下運動に起因して口蓋に付加される圧力の変化の測定によって検出される項１〜３のいずれか１項に記載の方法。
項５．
前記口蓋に付加される圧力の変化が口蓋上に配置された圧力センサーを用いて測定される項４に記載の方法。
項６．
前記飲食品が、当該飲食品を圧縮板で圧縮して５０％まで歪ませたときの圧縮板にかかる荷重値を経時的に測定したときの荷重値の最大値（Ｈｐ値）が０．０１〜１．０Ｎである項１〜５のいずれか１項に記載の方法。
項７．
前記飲食品が、食品である項１〜６のいずれか１項に記載の方法。
項８．
前記食品が、プリン、ゼリー、ヨーグルト又はごま豆腐である項７に記載の方法。
項９．
項２に記載の方法で評価された食品であって、測定されたＳ値が低いことに基づき、ねっとり感が低いと評価された食品。
項１０．
Ｓ値が４．０Ｎ−１以下である項９に記載の食品。
【発明の効果】
【０００９】
本発明の方法により、既存の方法では評価できない「ねっとり感」を評価することができる。従来の力学測定等では評価できなかった、官能評価の結果に近い「ねっとり感」の評価が可能である。さらには、本評価方法を用いて、様々な喫食者にとって最適な「ねっとり感」をもった飲食品を提供すること、特に高齢者用に「ねっとり感」が抑えられたゼリー、プリン、ヨーグルト、及びごま豆腐などを製造し、提供することができる。
【図面の簡単な説明】
【００１０】
【図１】ゲル状試料のねっとり感の官能評価の結果を示すグラフである。
【図２】ゲル状試料のＳ値を示すグラフである。
【図３】舌の上下運動を測定するために口蓋上に配置された圧力センサーの写真である。
【図４】試料＃１の喫食時において、口蓋上に配置された圧力センサーで測定された圧力（５つの感圧点での測定値の合計）の時間変化を示すグラフである。
【図５】プリンのねっとり感の官能評価の結果を示すグラフである。
【図６】プリンのＳ値を示すグラフである。
【図７】ヨーグルトのねっとり感の官能評価の結果を示すグラフである。
【図８】ヨーグルトのＳ値を示すグラフである。
【図９】ごま豆腐のねっとり感の官能評価の結果を示すグラフである。
【図１０】ごま豆腐のＳ値を示すグラフである。
【発明を実施するための形態】
【００１１】
摂食嚥下は、一般に、次の５期：
（１）先行期：飲食物を認識する時期
（２）準備期：飲食物を口腔へ取り込み、飲食物から食塊（飲み込みやすい塊）を形成する時期
（３）口腔期：食塊を口腔から咽頭に送り込む時期
（４）咽頭期：食塊を咽頭から食道に送り込む時期
（５）食道期：食塊を食道から胃に送り込む時期
に分けて把握される。
本発明の、飲食品のねっとり感を評価する方法は、飲食品の試料を口腔内に入れた後の食塊形成過程における舌の上下運動１サイクルに要する時間の平均値（Ｔ値）を計測する工程と飲食品のかたさの値（Ｈ値）を測定する工程を含む。
本発明における「食塊形成過程」とは、前記摂食嚥下の準備期において食塊を形成する過程である。すなわち、これは、飲食品の試料を口腔内に入れた後、舌と口蓋で飲食品を押し潰したり、押し潰しにより破壊された飲食品の破壊片をまとめたりする過程に該当する。この過程では、舌の上下運動を含む様々な舌の動きがみられる。
なお、以降、本明細書中、特に記載の無い場合に限り、「舌の上下運動１サイクルに要する時間の平均値」とは、飲食品の試料を口腔内に入れた後の食塊形成過程における舌の上下運動１サイクルに要する時間を意味する。
前述の通り、食塊形成過程では様々な舌の動きがみられるが、本発明における「舌の上下運動」とは、飲食品の試料を口腔内に入れた後、舌と口蓋で飲食品を押し潰したり、押し潰しにより破壊された飲食品の破壊片をまとめたりする運動（すなわち、舌による食塊形成の運動）であって、飲食品を歯で咀嚼する過程などにおける顎の上下運動に伴う舌の微細な運動や嚥下過程（咽頭期）における飲食品を舌で咽頭に押し込むときの舌の運動を含まない。
また、本明細書中、「平均値」とは、特に記載の無い限り、算術平均値を意味する。
【００１２】
舌の上下運動１サイクルに要する時間の平均値（Ｔ値）を飲食品のかたさの値（Ｈ値）で除した値（Ｓ値）と、飲食品のねっとり感とは相関し、飲食品のかたさが同程度である場合、試料を口腔内に入れた後の食塊形成過程における舌の上下運動１サイクルに要する時間の平均値（Ｔ値）が大きいほど（すなわち、一定時間内に舌が上下運動する回数が少ないほど）、飲食品のねっとり感は高い傾向がある。
【００１３】
ここで、舌の上下運動は、通常の喫食時と同様に、飲食品を押し潰したり、押し潰しにより破壊された飲食品の破壊片をまとめたりするために自然に行われる舌の動きである。言い換えれば、舌の上下運動は、喫食者が飲食品のねっとり感を評価しようとして意図的に行うものではない。
このことにより、本発明の方法によれば、測定者や喫食者の熟練に拠らず客観性、再現性が高い評価結果を得ることが可能になる。
【００１４】
舌の上下運動１サイクルに要する時間の平均値（Ｔ値）は、当該飲食品のかたさに影響される。
従って、本発明の方法では、飲食品のねっとり感は、舌の上下運動１サイクルに要する時間を飲食品のかたさの値（Ｈ値）によって標準化して得られる値に基づいて評価される。
具体的には好ましくは、本発明の方法では、前記食塊形成過程における舌の上下運動１サイクルに要する時間の平均値（Ｔ値）を飲食品のかたさの値（Ｈ値）によって除した値（Ｓ値）によって、飲食品のねっとり感を評価する。ここで、Ｓ値が大きいほど飲食品のねっとり感がより高いと評価する。言い換えれば、Ｓ値が小さいほど飲食品のねっとり感がより低いと評価する。
【００１５】
飲食品のかたさの値（Ｈ値）は、好ましくは、例えば、飲食品を圧縮板で圧縮して５０％まで歪ませたときの圧縮板にかかる荷重値を経時的に測定したときの荷重値の最大値（Ｈｐ値）である。Ｈｐ値は、具体的には、例えば、飲食品を平らな圧縮板（プランジャー）を有する一軸圧縮試験機で押したときにプランジャーにかかる荷重値を測定することによって得られる。このとき、飲食品をどの程度歪ませるかによって測定値が異なるが、本発明においては、飲食品試料を５０％歪ませたときの最大荷重値をもって飲食品のかたさの値とすることが好ましい。ここで、飲食品の歪みは、歪ませる前の飲食品の高さをＬ０、プランジャーの移動距離をＬ１とした場合、次式によって定義される。
飲食品の歪み（％）＝Ｌ１／Ｌ０×１００
【００１６】
舌の上下運動は、好ましくは、例えば、舌の上下運動に起因して口蓋に付加される圧力の変化の測定によって検出される。
これによれば、舌と口蓋で飲食品を押し潰したり、押し潰しにより破壊された飲食品の破壊片をまとめたりするための舌の上下運動を検出できる。なお、顎の上下運動に伴う舌の微細な動きや嚥下に伴う舌の動きは、本発明の方法において測定される「舌の上下運動１サイクルに要する時間の平均値」における舌の上下運動から除外される。
顎の上下運動に伴う舌の微細な動きは、口蓋の圧力変動として検知されず、嚥下に伴う舌の動きは、口蓋の圧力変化として検知されるが、例えば、同時に嚥下音を測定し、嚥下音と同じタイミングで検出された圧力変化を除外することによって、舌と口蓋で飲食品を押し潰したり、押し潰しにより破壊された飲食品の破壊片をまとめたりするための舌の上下運動のみを抽出できる。
【００１７】
飲食品の試料を口腔内に入れた後の食塊形成過程において、舌の上下運動に起因して口蓋に付加される圧力には、舌が直接口蓋を押す圧力、及び舌が飲食品の試料を介して口蓋を押す圧力などが含まれる。
本明細書中、舌の上下運動に起因して口蓋に付加される圧力を単に舌圧と称する場合がある。
【００１８】
当該口蓋に付加される圧力の変化は、好ましくは、例えば、口蓋上に配置された圧力センサーを用いて測定される。
【００１９】
このような圧力センサーとしては、例えば、特許第４５７５５１０号公報に記載の、咀嚼及び嚥下時における口蓋に対する舌の接触圧を計測するための舌圧センサーが好適に用いられる。
このような舌圧センサーは商業的に入手可能である（商品名  スワロースキャン、ニッタ株式会社）。
【００２０】
当該圧力センサー（感圧点）は、好ましくは、口蓋上の複数箇所（例えば、２〜１０箇所、好ましくは４〜６箇所、特に好ましくは５箇所）に配置される。
【００２１】
舌が上下運動したことは、例えば、当該複数の圧力センサー（感圧点）における圧力の合計値（または平均値）が所定の閾値を超え、その後所定の閾値未満になったことによって認定できる。
【００２２】
当該閾値は、例えば、舌の上に何も載せなくても測定される圧力の最大値（測定機器の暗ノイズ）を基準にして設定する。
【００２３】
当該閾値は、複数の圧力センサー（感圧点）における圧力の合計値を用いる場合、例えば、暗ノイズの平均値の５倍に設定できる。
【００２４】
舌の上下運動１サイクルに要する時間の平均値（Ｔ値）は、舌の上下運動の所定数のサイクル（Ｆａ）に要した時間（Ｔａ）に基づいて、Ｔａ／Ｆａの値として算出してもよく、あるいは当該Ｔ値は所定時間（Ｔｂ）内における、舌の上下運動のサイクル数（Ｆｂ）に基づいてＴｂ／Ｆｂの値として算出してもよい。
ここで、Ｔａ又はＴｂの始点は、飲食品の試料を口腔内に入れた後の食塊形成過程において、初めて舌の上下運動が検出された時点である。
所定数Ｆａは、好ましくは１〜１０回、より好ましくは１回〜５回に設定される。
所定時間Ｔｂは、好ましくはＦｂが１〜１０回、より好ましくは１回〜５回になるように設定される。
【００２５】
飲食品の試料を口腔内に入れることは、喫食者が、通常の喫食と同様に、自分で行うことができる。
【００２６】
飲食品の試料の量は、通常、喫食時に舌の上に載せる量と同程度が好ましい。具体的には、重量として通常１〜２０ｇ、体積として通常１〜２０ｍｌ、好ましくは重量として３〜１５ｇ、体積として３〜１５ｍｌである。
【００２７】
本明細書中、飲食品とは、ねっとり感を評価する可能性がある、あらゆる飲料及び食品を含む。
本発明の方法は、好ましくは、食品のねっとり感の測定のために使用できる。
本明細書中、食品とは、喫食時に固形（もしくは固体）または半固形であり、経口摂取されるものを意味する。従って、本明細書中の食品は、医薬品等であってもよい。
【００２８】
飲料の例としては、とろみのついた飲料、ドリンクゼリー等が挙げられ、食品の例としては、プリン、ゼリー、ヨーグルト、ごま豆腐、水ようかん、及びもち等のゲル状食品；マッシュポテト、カスタードクリーム及び餡子等のペースト状食品；並びに嚥下困難者用食品等の舌で押し潰して食することができる食品等が挙げられる。
本発明の方法は、なかでも、好ましくは、例えば、プリン、ゼリー、ヨーグルト、及びごま豆腐等のゲル状の食品に好適に使用できる。
【００２９】
本発明の方法は、例えば、飲食品を圧縮板で圧縮して５０％まで歪ませたときの圧縮板にかかる荷重値を経時的に測定したときの荷重値の最大値（Ｈｐ値）が０．０１〜１．０Ｎ、好ましくは０．０１〜０．５Ｎの範囲内である食品のねっとり感の評価に好適に使用できる。当該測定は、具体的には、次の測定方法Ｈに従って行うことができる。
【００３０】
［測定方法Ｈ］
飲食品試料を直径約６５ｍｍ、高さ約２５ｍｍの樹脂製容器に充填し、この試料を直径６ｍｍの円柱型圧縮板（プランジャー）を装着した一軸圧縮式の力学測定装置であるテクスチャーアナライザー（商品名  ＴＡ−ＸＴ  ｐｌｕｓ、Ｓｔａｂｌｅ  Ｍｉｃｒｏ  Ｓｙｓｔｅｍｓ社）を用いて圧縮した。プランジャーの移動速度は１ｍｍ／ｓとし、測定温度は２０℃とする。
飲食品の歪みが５０％になるまで飲食品を圧縮し、飲食品試料の圧縮によってプランジャーにかかる荷重値を経時的に測定したときの最大荷重値（Ｈｐ値）を飲食品のかたさとする。
なお、飲食品の歪みとは、歪ませる前の飲食品の高さをＬ０、プランジャーの移動距離をＬ１とした場合、下式によって定義される。
飲食品の歪み（％）＝Ｌ１／Ｌ０×１００
【００３１】
本発明の方法、特にＨｐ値を用いた本発明の方法において、測定されたＳ値が４．０Ｎ−１以下であることに基づき、ねっとり感が低いと評価された食品は、本発明の一態様である。
ここで、高齢者にとって、ゼリー、プリン、ヨーグルト、及びごま豆腐等は、ねっとり感を軽減したものが喫食しやすいとされている。具体的には、Ｈｐ値を用いた本発明の方法において測定されたＳ値が４．０Ｎ−１以下である食品は高齢者が喫食しやすいと判断される。
【実施例】
【００３２】
以下、実施例により本発明をより詳細に説明するが、本発明はこれに限定されるものではない。
【００３３】
実施例１（ゲル状試料のねっとり感の評価）
【００３４】
（１）ゲル状試料の作成
ゲル化剤として、ジェランガム製剤（商品名：ゲルアップ（登録商標）Ｋ−Ｓ、三栄源エフ・エフ・アイ株式会社）、及びキサンタンガムとローカストビーンガムの混合製剤（商品名：ゲルアップ（登録商標）ＳＡ−３Ｃ、三栄源エフ・エフ・アイ株式会社）を用いて、表１の組成の試料を作成した。表中の数値の単位は％（ｗ／ｗ）である。
【表１】
2014062897.tif 000002
【００３５】
（２）試料の破断荷重及び破断歪みの測定
後記の測定条件で、測定前の試料の高さ（Ｌ０）および試料の表面が破断するまでのプランジャーの移動距離（Ｌ２）から、次式に基づき、試料の破断歪みを算出した。測定結果を表２に示す。
試料の破断歪み（％）＝Ｌ２／Ｌ０×１００
また、試料の表面が破断したときの荷重を試料の破断荷重とした。
［測定条件］
試料：直径約６５ｍｍ、高さ約２５ｍｍの樹脂製容器に充填
試料温度：２０℃
測定機器：テクスチャーアナライザー（商品名  ＴＡ−ＸＴ  ｐｌｕｓ、Ｓｔａｂｌｅ  Ｍｉｃｒｏ  Ｓｙｓｔｅｍｓ社）
プランジャー：直径６ｍｍ円柱型（ステンレス製）
圧縮速度：１ｍｍ／ｓ
【００３６】
【表２】
2014062897.tif 000003
【００３７】
（３）従来の官能評価法によるねっとり感の評価
後記の従来の官能評価法により、（１）で調製したゲル状試料のねっとり感を評価した。結果を図１に示す。
［官能評価法］
段階１．２０℃の試料１０ｇを、各６名の被験者に全量口に含ませた後、自由に摂食させた。
段階２．試料摂食後に、被験者に長さ１００ｍｍの直線上に、試料のねっとり感を示す位置に線を引かせた。直線の左端を０点、右端を１００点とし、被験者が評価した位置から点数を求めた。
点数は、次の基準で採点させた。
０点：全くねっとりしていない
１００点：小さめの一口サイズでゲル状食品を食べるときの想像しうる最もねっとりしている状態
結果を図１に示す。
【００３８】
（４）本発明の方法によるねっとり感の評価
後記の測定法Ｓにより、（１）で調製したゲル状試料の、「舌の上下運動１サイクルに要する時間の平均値（Ｔ値）を飲食品のかたさの値（Ｈ値）によって除した値（Ｓ値）」を得た。
ここで、飲食品のかたさの値（Ｈ値）は、飲食品の歪みが５０％となるまで以下の測定条件Ｈに従って飲食品をプランジャーで等速一軸圧縮したときにプランジャーにかかる最大荷重値（Ｈｐ値）とした。この場合、Ｈｐ値は表２の破断荷重に等しい。
結果を図２に示す。
［測定条件Ｈ］
試料：直径約６５ｍｍ、高さ約２５ｍｍの樹脂製容器に充填
試料温度：２０℃
測定機器：テクスチャーアナライザー（商品名  ＴＡ−ＸＴ  ｐｌｕｓ、Ｓｔａｂｌｅ  Ｍｉｃｒｏ  Ｓｙｓｔｅｍｓ社）
プランジャー：直径６ｍｍ円柱型（ステンレス製）
圧縮速度：１ｍｍ／ｓ
【００３９】
［測定法Ｓ］
段階１．  図３に示すように、喫食者の口蓋に、圧力センサー（感圧点）５個（ＣＨ１〜ＣＨ５）を備える舌圧センサー（商品名  スワロースキャン、ニッタ株式会社）を装着し、５つの感圧点における圧力（すなわち、舌圧）の測定を開始した。
段階２．  ２０℃の試料１０ｇを、各３名の被験者に全量口に含ませた後、自由に摂食させた。
段階３．  舌圧の測定後、５つの感圧点における圧力の合計値の経時変化を調べた。
段階４．  圧力の合計値が初めて舌圧の閾値（暗ノイズの５倍）を超えてから、その後当該閾値未満になるまでの領域を舌圧の１つのピークとした。
段階５．  １番目のピークの始点から６番目のピークの始点までの時間を読み取り、これを当該期間内のピークの個数である５で割って、１ピークあたりの時間を求め、これを舌の上下運動１サイクルに要する時間の平均値（Ｔ値）とした。なお、被験者間の摂食様式の違いの影響を最小化するため、Ｔ値は試料＃１の値により標準化している。
段階６．  段階５で求めたＴ値を、飲食品のかたさの値（Ｈｐ値）で除して、Ｓ値を得た。  
【００４０】
図４に、試料＃１についての前記段階３の結果を例示する。なお、矢印部は、前記段階５の「１番目のピークの始点」及び「６番目のピークの始点」を示す。
【００４１】
(1)結果
図１と図２の対比から明らかなように、本発明に用いられる測定法で得られた、舌の上下運動１サイクルに要する時間の平均値（Ｔ値）を飲食品のかたさ（Ｈｐ値）で除した値（Ｓ値）は、従来の官能評価法によるねっとり感と相関し、当該値によってねっとり感を評価できることが確認された。
【００４２】
実施例２（プリンのねっとり感の評価）
プリン４種（試料Ａ〜Ｄ）について、実施例１と同様にねっとり感を評価した。
試料の破断荷重及び破断歪みの測定の結果を表３に示す。
これから理解されるように、当該プリン４種は、様々な破断荷重及び破断歪みを有する。
【表３】
2014062897.tif 000004
【００４３】
従来の従来の官能評価法によるねっとり感の評価結果を図５に示す。
本発明に用いられる測定法により得た、舌の上下運動１サイクルに要する時間の平均値（Ｔ値）を飲食品のかたさ（Ｈｐ値）で除した値（Ｓ値）を図６に示す。なお、この場合、Ｈｐ値は表３の破断荷重に等しい。また、被験者間の摂食様式の違いの影響を最小化するため、Ｔ値は実施例１の試料＃１の値により標準化している。
図５と図６の対比から明らかなように、本発明に用いられる測定法で得られた、Ｓ値は、従来の官能評価法によるねっとり感と相関し、様々な破断荷重及び破断歪みを有する実際の飲食品についても、当該値によってねっとり感を評価できることが確認された。
【００４４】
実施例３（ヨーグルトのねっとり感の評価）
ヨーグルト２種類（試料Ｅ、Ｆ）について、実施例１と同様にねっとり感を評価した。
試料の破断荷重及び破断歪みの測定の結果を表４に示す。
これから理解されるように、当該ヨーグルト２種は、異なる破断荷重及び破断歪みを有する。
【表４】
2014062897.tif 000005
【００４５】
前記の従来の官能評価法によるねっとり感の評価結果を図７に示す。
本発明に用いられる測定法により得た、舌の上下運動１サイクルに要する時間の平均値（Ｔ値）を飲食品のかたさ（Ｈｐ値）で除した値（Ｓ値）を図８に示す。なお、この場合、Ｈｐ値は表４の破断荷重に等しい。また、被験者間の摂食様式の違いの影響を最小化するため、Ｔ値は実施例１の試料＃１の値により標準化している。
図７と図８の対比から明らかなように、本発明に用いられる測定法で得られた、Ｓ値は、従来の官能評価法によるねっとり感と相関し、異なる破断荷重及び破断歪みを有する実際の飲食品についても、当該値によってねっとり感を評価できることが確認された。
【００４６】
実施例４（ごま豆腐のねっとり感の評価）
ごま豆腐２種類（試料Ｇ、Ｈ）について、実施例１と同様にねっとり感を評価した。
試料の破断荷重及び破断歪みの測定の結果を表５に示す。
これから理解されるように、当該ごま豆腐２種は、異なる破断荷重及び破断歪みを有する。
【表５】
2014062897.tif 000006
【００４７】
前記の従来の官能評価法によるねっとり感の評価結果を図９に示す。
本発明に用いられる測定法により得た、舌の上下運動１サイクルに要する時間の平均値（Ｔ値）を飲食品のかたさ（Ｈｐ値）で除した値（Ｓ値）を図１０に示す。なお、この場合、Ｈｐ値は表５の破断荷重に等しい。また、被験者間の摂食様式の違いの影響を最小化するため、Ｔ値は実施例１の試料＃１の値により標準化している。
図９と図１０の対比から明らかなように、本発明に用いられる測定法で得られた、Ｓ値は、従来の官能評価法によるねっとり感と相関し、異なる破断荷重及び破断歪みを有する実際の飲食品についても、当該値によってねっとり感を評価できることが確認された。
【産業上の利用可能性】
【００４８】
本発明の方法は、飲食品のねっとり感の評価に使用できる。
【図１】
2014062897.tif 000007
【図２】
2014062897.tif 000008
【図３】
2014062897.tif 000009
【図４】
2014062897.tif 000010
【図５】
2014062897.tif 000011
【図６】
2014062897.tif 000012
【図７】
2014062897.tif 000013
【図８】
2014062897.tif 000014
【図９】
2014062897.tif 000015
【図１０】
2014062897.tif 000016